(57)【特許請求の範囲】
【請求項１】
振動系及び磁気回路を有するスピーカユニットと、
上記スピーカユニットを内部に収納して支持する筐体とを備え、
上記スピーカユニットの振動系の振幅方向の後方側に位置する上記筐体の後面部に上記スピーカユニットの磁気回路を取り付ける為の前方に突出する突出部を設け、且つ上記突出部の後面に対向する位置に、上記磁気回路のボイスコイルと接続し得る接続端子を取り付け、この接続端子の端子摘みを外部に導出露呈させてなる凹部が形成されていることを特徴とするスピーカ装置。
【請求項２】
上記振動系は、略平面板状の振動板を有することを特徴とする請求項１に記載のスピーカ装置。
【発明の詳細な説明】
【０００１】
【発明の属する技術分野】
本発明は、電気信号を音響に変換するために用いられるスピーカ装置に関する。
【０００２】
【従来の技術】
スピーカ装置としては、センタープレートを間に挟んで一組のマグネットが反発する磁極方向を対向させてそれぞれ配設されて反発磁界を形成する磁気回路を備えるスピーカ装置が知られている。この種のスピーカ装置が備える磁気回路は、装置全体の薄型化を図るために広く採用されている。
【０００３】
図４に示すように、スピーカ装置が備えるスピーカユニット１０１は、音響を発生する振動系１０５と、この振動系１０５を駆動する磁気回路１０６と、振動系１０５及び磁気回路１０６を支持するフレーム１０７とを備えている。
【０００４】
振動系１０５は、図４に示すように、中央部に透孔を有する略円錐状の振動板１１０と、この振動板１１０の透孔を閉塞するように設けられたドーム形状のキャップ１１２と、振動板１１０の透孔に設けられた円筒状のボビン１１３と、振動板１１０の外周部に連設された可撓性を有するエッジ１１４と、ボビン１１３に設けられた可撓性及び振動吸収性を有するダンパー１１５とを有している。
【０００５】
磁気回路１０６は、図４に示すように、振動系１０５を振動させるボイスコイル１１９と、磁路を形成するセンタープレート１２０と、このセンタープレート１２０に磁束を付与する一組のマグネット１２１，１２２とを有している。
【０００６】
ボイスコイル１１９は、振動系１０５のボビン１１３の外周部に巻回されて設けられており、センタプレート１２０及びマグネット１２１，１２２の外周部に配設されている。このボイスコイル１１９の両端部は、フレーム１０７の外周部に設けられた図示しない接続端子に錦糸線を介して接続されている。センタープレート１２０は、磁性材料によって円板状に形成されている。
【０００７】
マグネット１２１，１２２は、円板状に形成されており、センタープレート１２０の中心と一致させて、センタープレート１２０を間に挟み込んで反発する磁極方向を互いに対向させてそれぞれ配設されている。
【０００８】
フレーム１０７には、図４に示すように、開口端部に、振動板１１０を保持する保持部１０８が形成されており、この保持部１０８に振動板１１０のエッジ１１４の外周部が図示しない円環状のガスケットを介して固定されている。また、フレーム１０７には、外周部に、ボイスコイル１１９と図示しない錦糸線を介して接続された接続端子１２３が設けられており、この接続端子１２３に図示しない外部電源の接続線が接続される。
【０００９】
上述したスピーカ装置１０１は、ボイスコイル１１９に電流が通電されることによって、フレミング左手の法則に従ってボイスコイル１１９が振動して、このボイスコイル１１９の振動に伴って振動板１１０が振動して音響を発生する。
【００１０】
そして、以上のように構成されたスピーカユニット１０１は、図５に示すように、筐体１０３の内部に収納されて支持される。
【００１１】
筐体１０３は、図５に示すように、スピーカユニット１０１の振動系１０５の振幅方向に直交して互いに平行に設けられて互いに組み合わされる一組のフロントバッフル板１２５及びリアバッフル板１２６を有している。
【００１２】
フロントバッフル板１２５は、図５に示すように、平面板状に形成されており、主面の所望の位置に、スピーカユニット１０１を配設するための開口部が設けられている。フロントバッフル板１２５には、開口部に沿って、スピーカユニット１０１が備えるフレーム１０７の開口端部の外周部を支持する支持部１２８が形成されている。スピーカユニット１０１は、フレーム１０７の開口端部の外周部が、フロントバッフル板１２５の支持部１２８にネジ止めされて固定されている。
【００１３】
リアバッフル板１２６は、図５に示すように、略箱状に形成されており、振動系１０５の振幅方向の後方側に位置する底面部に、スピーカユニット１０１のフレーム１０７の底面部が当接された状態で、フロントバッフル板１２５に組み合わせられる。
【００１４】
【発明が解決しようとする課題】
上述したように、従来のスピーカ装置は、図５に示すように、スピーカユニット１０１が備えるフレーム１０７の底部とリアバッフル板１２６が重なるため、振動系１０５の振幅方向の厚みがリアバッフル板１２６の厚みだけ増加してしまうという問題があった。
【００１５】
そこで、本発明は、装置全体の薄型化を可能とするスピーカ装置を提供することを目的とする。
【００１６】
【課題を解決するための手段】
上述した目的を達成するため、本発明に係るスピーカ装置は、振動系及び磁気回路を有するスピーカユニットと、スピーカユニットを内部に収納して支持する筐体とを備え、スピーカユニットの振動系の振幅方向の後方側に位置する筐体の後面部にスピーカユニットの磁気回路を取り付ける為の前方に突出する突出部を設け、且つ突出部の後面に対向する位置に、磁気回路のボイスコイルと接続し得る接続端子を取り付け、この接続端子の端子摘みを外部に導出露呈させてなる凹部が形成されている。
【００１７】
以上のように構成したスピーカ装置は、スピーカユニットの磁気回路が、筐体の後面部に直接的に支持されることによって、振動系の振幅方向の厚みが低減される。
【００１８】
また、接続端子の端子摘みを筐体の後面部に設けた凹部内に配設したことによって、端子摘みがスピーカ装置の取付けに際し障害となることがなく、その取付けが容易である。
【００１９】
【発明の実施の形態】
以下、本発明の前提となるスピーカ装置を図面を参照して説明する。図１に示すように、スピーカ装置１は、音響を発生する振動系６と、この振動系６を駆動する磁気回路７とを有するスピーカユニット４を備えている。
【００２０】
スピーカユニット４を構成する振動系６は、図１に示すように、中央部に透孔１０ａを有する円環状の振動板１０と、この振動板１０の外周部を変位可能に支持する略円環状の一組の弾性支持部材１１，１２と、振動板１０の透孔１０ａに開口端が取り付けられた有底筒状のキャップ１３とを有している。
【００２１】
振動板１０は、例えば、ハニカム構造や発泡マイカ等からなる発泡構造等の内部や表面に空隙を有する比較的軽量な平面板によって所望の厚みに形成されている。振動板１０の透孔１０ａ内には、磁気回路７が配設されている。
【００２２】
弾性支持部材１１，１２は、図１に示すように、弾性を有する材料によって同心円状を呈する断面波形状やロール状に形成されている。一組の弾性支持部材１１，１２は、振動板１０の厚み方向の中心線に対して線対称且つ互いに平行にそれぞれ設けられている。これら一組の弾性支持部材１１，１２は、一端部が振動板１０の外周部の厚み方向の両側にそれぞれ取り付けられるとともに、他端部が円環状のエッジリング１４にそれぞれ取り付けられている。
【００２３】
キャップ１３は、例えば発泡マイカ等からなり、振動系６の振幅方向の前方側に位置する磁気回路７の前方側を覆うように、振動板１０の透孔１０ａを閉塞して取り付けられている。このキャップ１３は、振動板１０が最大の振幅を行ったときに磁気回路７が有するマグネット等に衝突することを防止するために、振動板１０の最大振幅量以上にこのキャップ１３の底面がマグネットの主面から離間するように設けられている。スピーカユニット４は、キャップ１３によって、エンクロージャ内のエアーが振動板１０と磁気回路７との隙間から漏れることが防止されている。
【００２４】
すなわち、弾性支持部材１１，１２は、振動板１０の厚み方向に所定の間隔をあけて振動板１０をそれぞれ支持することによって、振動板１０の透孔１０ａに設けられる後述するボイスコイルを磁界内の最適な位置に保持することができるため、振動板１０が大きく振幅するときに生じるローリング動作を抑制することができる。
【００２５】
スピーカユニット４を構成する磁気回路７は、図１に示すように、振動系６の振動板１０の透孔１０ａ内に配設されており、振動板１０を振動させるボイスコイル１９と、磁路を形成するセンタープレート２０と、このセンタープレート２０に磁束を付与する一組のマグネット２１，２２とを有している。
【００２６】
ボイスコイル１９は、振動系６の振動板１０の透孔１０ａの内周面に、巻き幅方向の中心線を振動板１０の厚み方向の中心線に一致させて取り付けられている。また、このボイスコイル１９の巻き幅は、センタープレート２０の厚み以下に形成されている。
【００２７】
センタープレート２０は、図１に示すように、例えば熱間鍛造鋼板等の軟磁性材料によって円板状に形成されている。マグネット２１，２２は、例えばネオジウムマグネット等の異方性希土類焼結磁石が用いられており、外径がセンタープレート２０の外径よりやや小とされた円板状に形成されている。
【００２８】
マグネット２１，２２は、図１及び図２に示すように、センタープレート２０を間に挟み込んで反発する磁極方向を互いに対向させてセンタープレート２０の両側にそれぞれ配設されており、外周部からセンタープレート２０の外周部が突出されている。すなわち、これらのマグネット２１，２２は、図示しないが、例えばセンタープレート２０側がＮ極にそれぞれ帯磁されており、他方側がＳ極にそれぞれ帯磁されている。
【００２９】
上述したスピーカユニット４は、ボイスコイル１９に電流が通電されることによって、フレミング左手の法則に従ってボイスコイル１９が振動して、このボイスコイル１９の振動に伴って振動板１０が振動して音響を発生する。
【００３０】
また、このスピーカ装置１は、図１に示すように、スピーカユニット４を内部に収納するとともに、スピーカユニット４の振動系６及び磁気回路７をそれぞれ支持する筐体５を備えている。筐体５は、図１に示すように、スピーカユニット４の振動系６の振幅方向に直交して設けられて、互いに組み合わされて構成される一組のフロントバッフル板８及びリアバッフル板９を有している。
【００３１】
フロントバッフル板８は、図１に示すように、スピーカユニット４が配設される開口部が主面部に形成されており、この開口部に沿ってリアバッフル板９に組み合わせて固定される固定部３５が形成されている。また、フロントバッフル板８には、主面部の外周部に、リアバッフル板９に当接する当接部３６が形成されている。
【００３２】
リアバッフル板９は、図１に示すように、スピーカユニット４の振動系６及び磁気回路７をそれぞれ支持するユニット支持部材３１と、このユニット支持部材３１を支持するバッフル部材３２とを有している。
【００３３】
ユニット支持部材３１には、図１に示すように、主面部の外周部に沿って、スピーカユニット４の振動系６を支持する複数の振動系支持柱３８が、スピーカユニット４のエッジリング１４に対向する位置にそれぞれ一体に立設されている。ユニット支持部材３１は、各振動系支持柱３８の先端部に、振動系６のエッジリング１４が固定されて支持される。
【００３４】
また、ユニット支持部材３１には、振動系支持柱３８の外周部に、フロントバッフル板８の固定部３５に組み合わされネジ止めされて固定される固定部３９が形成されている。
【００３５】
また、ユニット支持部材３１の主面部の中央には、磁気回路７を支持する支持突部４０が形成されており、この支持突部４０の先端に磁気回路７のマグネット２２が当接されて固定される。また、ユニット支持部材３１の主面部の外周部には、バッフル部材３２に組み合わされて支持される支持溝４１が形成されている。
【００３６】
バッフル部材３２は、図１に示すように、主面部にユニット支持部材３１が配設される開口部が形成されており、この開口部に沿ってユニット支持部材３１を支持する支持部４２が形成されている。バッフル部材３２は、支持部４２に、ユニット支持部材３１の支持溝４１が図示しないシーリング部材を介して気密が保持されるように組み合わされる。
【００３７】
また、リアバッフル板９には、図示しないが、スピーカユニット４のボイスコイル１９の両端に錦糸線を介して接続された接続端子が設けられている。そして、リアバッフル板９の開口端部には、スピーカユニット４の破損やスピーカユニット４に塵埃が付着することを防止するための図示しないフロントパネルが開口端部を閉塞するように設けられている。
【００３８】
以上のように構成される筐体５内にスピーカユニット４が取り付けられる状態を図面を参照して説明する。
【００３９】
まず、スピーカユニット４は、図１に示すように、リアバッフル板９のユニット支持部材３１に支持される。スピーカユニット４は、磁気回路７がユニット支持部材３１の支持突部４０に固定されて支持されるとともに、振動系６のエッジリング１４が振動系支持柱３８の先端部にそれぞれ固定されて支持される。
【００４０】
スピーカユニット４を支持するユニット支持部材３１は、スピーカユニット４の振動板１０の主面がフロントバッフル板８の主面とほぼ同一平面上に位置するように、固定部３９にフロントバッフル板８の固定部３５が組み合わせられネジ止めされて固定される。
【００４１】
フロントバッフル板８が取り付けられたユニット支持部材３１は、フロントバッフル板８の当接部３６がバッフル部材３２に当接されて、支持溝４１が図示しないシーリング部材を介してバッフル部材３２の支持部４２に取り付けられて支持される。そして、バッフル部材３２の開口端部には、図示しないフロントパネルが閉塞するように取り付けられる。
【００４２】
上述したように、スピーカ装置１は、磁気回路７がリアバッフル板９に直接支持されることによって、スピーカユニット４が振動系６及び磁気回路７を支持するフレームを備えることが不要となるため、フレームの底面部の厚みだけ装置全体を薄型化することができる。
【００４３】
換言すれば、このスピーカ装置１によれば、スピーカユニット４がフレームを備えないことにより、スピーカユニット４の内部容積を大きく確保することができるため、再生音質の向上も図ることができる。
【００４４】
なお、上述したスピーカ装置１は、フロントバッフル板８の固定部３５と、リアバッフル板９のユニット支持部材３１の固定部３９がネジ止めされる構成とされたが、リアバッフル板のユニット支持部材とバッフル部材とがネジ止めされる構成とされる点が異なる他のスピーカ装置を図面を参照して説明する。なお、他のスピーカ装置が備えるスピーカユニットは、上述したスピーカ装置１が備えるスピーカユニット４と同一であるため、同一部材に同一符号を付して説明を省略する。
【００４５】
図２に示すように、他のスピーカ装置２は、スピーカユニット４を内部に収納するとともに、スピーカユニット４の振動系６及び磁気回路７をそれぞれ支持する筐体４５を備えている。
【００４６】
筐体４５は、図２に示すように、スピーカユニット４の振動系６の振幅方向に直交して設けられて、互いに組み合わされて構成される一組のフロントバッフル板４８及びリアバッフル板４９を有している。
【００４７】
フロントバッフル板４８は、図２に示すように、スピーカユニット４が配設される開口部が主面部に形成されており、この開口部に沿ってリアバッフル板４９に組み合わせて支持される支持部５５が形成されている。また、フロントバッフル板４８には、主面部の外周部に、リアバッフル板４９に当接する当接部５６が形成されている。
【００４８】
リアバッフル板４９は、図２に示すように、スピーカユニット４の振動系６及び磁気回路７をそれぞれ支持するユニット支持部材５１と、このユニット支持部材５１を支持するバッフル部材５２とを有している。
【００４９】
ユニット支持部材５１には、図２に示すように、主面部の外周部に沿って、スピーカユニット４の振動系６を支持する複数の振動系支持柱５８が、スピーカユニット４のエッジリング１４に対向する位置にそれぞれ一体に立設されている。ユニット支持部材５１の各振動系支持柱５８の先端部には、振動系６のエッジリング１４が固定されて支持される。
【００５０】
また、ユニット支持部材５１には、振動系支持柱５８の外周部に、フロントバッフル板４８の支持部に組み合わされる支持溝５９が形成されている。ユニット支持部材５１は、支持溝５９にフロントバッフル板４８の支持部５５が図示しないシーリング部材を介して気密が保持された状態で組み合わされる。
【００５１】
また、ユニット支持部材５１の主面部の中央には、磁気回路７を支持する支持突部６１が形成されており、この支持突部６１の先端に磁気回路７のマグネット２２が当接されて固定される。また、ユニット支持部材５１の主面部の外周部には、バッフル部材５２に組み合わされて固定される固定部６２が形成されている。
【００５２】
バッフル部材５２は、図２に示すように、主面部にユニット支持部材５１が配設される開口部が形成されており、この開口部に沿ってユニット支持部材５１に組み合わされて固定される固定部６３が形成されている。
【００５３】
また、リアバッフル板４９には、図示しないが、スピーカユニット４のボイスコイル１９の両端に錦糸線を介して接続された接続端子が設けられている。そして、リアバッフル板４９の開口端部には、スピーカユニット４の破損やスピーカユニット４に塵埃が付着することを防止するための図示しないフロントパネルが開口端部を閉塞するように設けられている。
【００５４】
以上のように構成された筐体４５内にスピーカユニット４が取り付けられる状態を図面を参照して説明する。
【００５５】
まず、スピーカユニット４は、図２に示すように、リアバッフル板４９のユニット支持部材５１に支持される。スピーカユニット４は、磁気回路７がユニット支持部材５１の支持突部６１に固定されて支持されるとともに、振動系６のエッジリング１４が振動系支持柱５８の先端部にそれぞれ固定されて支持される。スピーカユニット４が取り付けられたユニット支持部材５１は、固定部６２が、バッフル部材５２の固定部６３に組み合わされネジ止めされて固定される。
【００５６】
バッフル部材５２に取り付けられたユニット支持部材５１は、当接部５６がバッフル部材５２に当接されて、スピーカユニット４の振動板１０の主面がフロントバッフル板４８の主面とほぼ同一平面上に位置するように、支持溝５９にフロントバッフル板４８の支持部５５が図示しないシーリング部材を介して組み合わせられて支持される。そして、バッフル部材５２の開口端部には、図示しないフロントパネルが閉塞するように取り付けられる。
【００５７】
上述したように、スピーカ装置２によれば、リアバッフル板４９を構成するバッフル部材５２に対してスピーカユニット４を支持するユニット支持部材５１を容易に取り外し可能とされるため、組立性を向上することができる。また、このスピーカ装置２によれば、スピーカユニット４の振動系６や磁気回路７の修理、交換等のメンテナンス作業を容易に行うことができる。
【００５８】
また、上述したスピーカ装置２は、フロントバッフル板４８及びリアバッフル板４９を有する筐体４５を備える構成とされたが、構成が簡素化された他の筐体を備える本発明のスピーカ装置を図面を参照して説明する。本発明のスピーカ装置が備えるスピーカユニットは、上述したスピーカ装置１，２が備えるスピーカユニット４と同一であるため、同一部材に同一符号を付して説明を省略する。
【００５９】
図３に示すように、本発明のスピーカ装置３は、スピーカユニット４を内部に収納するとともに、スピーカユニット４の振動系６及び磁気回路７をそれぞれ支持する筐体７０を備えている。筐体７０は、例えばプラスチック等の樹脂材料によって形成されている。
【００６０】
筐体７０には、図３に示すように、スピーカユニット４の振動系６を支持する複数の振動系支持柱７１が、スピーカユニット４のエッジリング１４に対向する位置にそれぞれ立設されている。筐体７０は、図３に示すように、スピーカユニット４の磁気回路７を支持する支持突部７２が一体に突出形成されている。
【００６１】
また、筐体７０の支持突部７２の立上り壁には、図３に示すように、スピーカユニット４のボイスコイル１９の両端に錦糸線７５を介して接続された接続端子７６が配設されている。また、筐体７０の支持突部７２の外方側には、接続端子７６が収納される端子収納用凹部７３が形成されている。
【００６２】
この接続端子７６は、図３に示すように、錦糸線７５が接続された接続片７６ａと、この接続片７６ａと当接されて支持突部７２に設けられたボス部材７６ｂと、このボス部材７６ｂのボス穴にねじ込まれた端子摘み７６ｃと、この端子摘み７６ｃに図示しない外部電源の接続線を接続するためのワッシャ７６ｄとを有している。この接続端子７６は、筐体７０の端子収納用凹部７３内に端子摘み７６ｃが配設されている。
【００６３】
なお、接続端子７６は、図示しないが、端子摘み７６ｃの一端を端子収納用凹部７３の開口部側に臨ませて配設するために、支持突部７２の立上り壁を振動系６の振幅方向に対して傾斜させて形成してもよい。接続端子７６は、支持突部７２の立上り壁を振動系６の振幅方向に対して傾斜させて形成することによって、外部電源の接続線を接続する接続作業を容易に行うことができる。
【００６４】
そして、筐体７０の開口端部には、スピーカユニット４の破損やスピーカユニット４に塵埃が付着することを防止するための図示しないフロントパネルが開口端部を閉塞するように設けられている。
【００６５】
以上のように構成された筐体７０内にスピーカユニット４が取り付けられる状態を図面を参照して説明する。
【００６６】
まず、スピーカユニット４は、図３に示すように、ボイスコイル１９の両端が錦糸線７５を介して接続端子７６の接続片７６ａに接続される。そして、スピーカユニット４は、図３に示すように、筐体７０の支持突部７２に磁気回路７が載置されて固定されるとともに、振動系６のエッジリング１４が振動系支持柱７１の先端部にそれぞれ固定される。
【００６７】
【発明の効果】
上述したように本発明に係るスピーカ装置によれば、筐体の後面部に設けた突出部で磁気回路を支持するので、振動系の振幅方向の厚みを薄くすることが可能となり、装置全体の薄型化を図ることができる。
【００６８】
また、このスピーカ装置によれば、筐体の後面部にスピーカユニットの磁気回路を取り付けるための前方に突出する突出部を設け、且つ突出部の後面に対向する位置に、磁気回路のボイスコイルと接続し得る接続端子を取り付け、この接続端子の端子摘みを外部に導出露呈させてなる凹部が形成されたことによって、端子摘みがスピーカ装置の取付けに際し障害となることがなく、その取付けを容易にすることができる。
【図面の簡単な説明】
【図１】  本発明の前提となるスピーカ装置を示す断面図である。
【図２】  本発明の前提となる他のスピーカ装置を示す断面図である。
【図３】  本発明のスピーカ装置を示す断面図である。
【図４】  従来のスピーカ装置が備えるスピーカユニットを示す断面図である。
【図５】  従来のスピーカ装置が備える筐体を説明するために示す断面図である。
【符号の説明】
１  スピーカ装置、４  スピーカユニット、５  筐体、６  振動系、７  磁気回路、８  フロントバッフル板、９  リアバッフル板、３１  ユニット支持部材、３２  バッフル部材
【図１】
0003899651.tif 000002
【図２】
0003899651.tif 000003
【図３】
0003899651.tif 000004
【図４】
0003899651.tif 000005
【図５】
0003899651.tif 000006